(57)【要約】【課題】着脱時の操作性を損なうことなく、カメラ本体あるいは付属品の脱落を防止可能なカメラ用付属品の取付機構を提案すること。【解決手段】アングルファインダ１の側の取付部２に形成した左右一対の差込レール８、９を、カメラ本体３０の側の取付部３４に形成した左右一対の差込溝３９、４０に上側から差し込むことにより、アングルファインダ１をカメラ本体３０に取り付け可能である。取り付け状態では、アングルファインダ１の側のロック板１４の係合爪１６ａ、１６ｂが、下側からカメラ本体側の水平な係合面４２、４３に係合しており、アングルファインダ１が抜け出ることがない。取り外す際には、ロック板１４を後側に回転すると係合が外れ、クリックばね１８によってその状態に保持されるので、上方にアングルファインダ１を引き抜くことができる。【選択図】図５
2006235248.tif 000002
【特許請求の範囲】
【請求項１】
カメラ本体に付属品を着脱可能な状態で取り付けるために、これらカメラ本体および付属品の一方の側の差込溝に他方の側の差込部を差し込むように構成されているスライド係合方式のカメラ付属品の取付機構であって、
前記差込溝から前記差込部が抜け出ることを防止するための抜け防止部を有し、
当該抜け防止部は、係合面と、前記差込部の差込方向とは反対側から当該係合面に係合する係合位置および当該係合面から外れる退避位置に移動可能な係合部材と、この係合部材を前記係合位置に保持している弾性部材とを備えており、
前記カメラ本体および前記付属品の一方の側に前記係合面が配置され、他方の側に前記係合部材が配置されていることを特徴とするカメラ用付属品の取付機構。
【請求項２】
請求項１において、
前記弾性部材は、前記係合部材を前記係合位置および前記退避位置のそれぞれに保持可能な板ばねであり、
当該板ばねの弾性変形により前記係合部材の移動が可能であることを特徴とするカメラ用付属品の取付機構。
【請求項３】
請求項２において、
前記付属品は、前記係合部材と、前記板ばねと、当該板ばねが係合可能な板ばね係合部とを有しており、
前記係合部材は、一方の端部を中心として前方側の係合位置および後方側の退避位置の間を回転可能な状態で支持されていると共に、他方の端部に前方に突出している係合爪を備えており、
前記板ばねは、前記係合部材に取り付けられていると共に、前方に突出している波状の先端部分を備えており、
前記板ばね係合部は、前記板ばねの先端部分が面外方向に弾性変形することにより乗り越えることのできる係合縁であり、
前記係合位置にある前記係合部材を後方の前記退避位置に向けて押すと、前記板ばねの先端部分が弾性変形して前記係合縁を乗り越えた後に弾性復帰して再び当該係合縁に係合して、前記係合部材が前記退避位置に保持され、
前記退避位置にある前記係合部材を前方の係合位置に向けて押すと、前記板ばねの先端部分が弾性変形して前記係合縁を乗り越えた後に弾性復帰して再び当該係合縁に係合して、前記係合部材が前記係合位置に保持されることを特徴とするカメラ用付属品の取り付け機構。
【請求項４】
請求項３において、
前記係合部材には、当該係合部材を前記退避位置に向けて回転させるための手動操作部が形成されていることを特徴とするカメラ用付属品の取り付け機構。
【請求項５】
請求項４において、
前記差込部の差込方向は、カメラ上下方向における上方から下方に向かう方向とされていることを特徴とするカメラ用付属品の取り付け機構。
【請求項６】
請求項５において、
前記付属品は前記カメラ本体の背面に取り付けられるようになっていることを特徴とするカメラ用付属品の取付機構。
【請求項７】
請求項５または６において、
前記付属品は、付属品本体部分と、この付属品本体部分を支持している支持板とを有しており、
前記支持板は、前記係合部材、前記板ばね、および前記板ばね係合部を備えており、
前記付属品を前記カメラ本体に取り付けた状態において、前記支持板は、そのカメラ幅方向の一方の端部においてカメラ上下方向に延びる回転中心線を中心として、前記付属品本体部分を旋回可能な状態で支持していることを特徴とするカメラ用付属品の取り付け機構。
【請求項８】
請求項７において、
前記支持板は、前記付属品本体部分を、前記カメラ本体に対峙している対峙位置から所定の角度だけ旋回した退避位置に止めるための旋回拘束部を備えていることを特徴とするカメラ用付属品の取り付け機構。
【請求項９】
カメラ本体に形成されている付属品取付部に対してスライド係合方式により取り付け可能なカメラ用付属品であって、
前記付属品取付部からの抜けを防止するための抜け防止部を有し、
この抜け防止部は係合部材および弾性部材を備えており、
前記係合部材は、付属品差込方向とは反対側から前記付属品取付部に形成されている係合面に係合可能な係合位置および、当該係合面から外れる退避位置に移動可能であり、
前記弾性部材は、前記係合部材を前記係合位置に保持していることを特徴とするカメラ用付属品。
【請求項１０】
請求項９において、
前記弾性部材は、前記係合部材を前記係合位置および前記退避位置のそれぞれに保持可能な板ばねであり、
当該板ばねの弾性変形により前記係合部材の移動が可能であることを特徴とするカメラ用付属品。
【請求項１１】
請求項１０において、
前記板ばねが係合可能な板ばね係合部を有しており、
前記係合部材は、一方の端部を中心として前側の係合位置および後側の退避位置に回転可能な状態で支持されていると共に、他方の端部に前方に突出している係合爪を備えており、
前記板ばねは、前記係合部材に取り付けられていると共に、前方に突出している波状の先端部分を備えており、
前記板ばね係合部は、前記板ばねの波状の先端部分が面外方向に弾性変形することにより乗り越えることのできる係合縁であり、
前記係合位置にある前記係合部材を前記退避位置に向けて押すと、前記板ばねの先端部分が弾性変形して前記係合縁を乗り越えた後に弾性復帰して再び当該係合縁に係合して、前記係合部材が前記退避位置に保持され、
前記退避位置にある前記係合部材を前記係合位置に向けて押すと、前記板ばねの先端部分が弾性変形して前記係合縁を乗り越えた後に弾性復帰して当該係合縁に係合して、前記係合部材が前記係合位置に保持されることを特徴とするカメラ用付属品。
【請求項１２】
請求項１１において、
前記係合部材には、当該係合部材を前記退避位置に向けて回転させるための手動操作部が形成されていることを特徴とするカメラ用付属品。
【請求項１３】
請求項１２において、
前記付属品差込方向は、カメラ上下方向における上方から下方に向かう方向とされていることを特徴とするカメラ用付属品。
【請求項１４】
請求項１３において、
付属品本体部分と、この付属品本体部分を支持している支持板とを有しており、
前記支持板は、前記係合部材、前記板ばね、および前記板ばね係合部を備えており、
前記付属品を前記カメラ本体に取り付けた状態において、前記支持板は、そのカメラ幅方向の一方の端部においてカメラ上下方向に延びる回転中心線を中心として、前記付属品本体部分を旋回可能な状態で支持していることを特徴とするカメラ用付属品。
【請求項１５】
請求項１４において、
前記支持板は、前記付属品本体部分を、前記カメラ本体に対峙している対峙位置から所定の角度だけ旋回した退避位置に止まるように保持するための旋回拘束部を備えていることを特徴とするカメラ用付属品。
【発明の詳細な説明】
【技術分野】
【０００１】
本発明は、アングルファインダ、マグニファイヤなどのカメラ用付属品をカメラ本体に形成されている取付部に着脱可能な状態で取り付けるための取付機構に関するものである。さらに詳しくは、カメラ本体あるいは付属品に形成した差込溝の一端から他方の側に形成した差込部材を差し込むことにより付属品がカメラ本体に取り付けられるスライド係合方式の取付機構の改良に関するものである。
【背景技術】
【０００２】
カメラ用付属品をカメラ本体に取り付けるための取付機構としては、ねじ係合方式によるものと、スライド係合方式によるものが知られている。ねじ係合方式の取付機構では、カメラ本体および付属品の一方の側に雌ねじ部を形成しておき、ここに、他方の側に形成されている雄ねじ部をねじ込み固定することにより、付属品がカメラ本体に取り付けられる。ねじ込み式の機構では、付属品着脱の際に、付属品自身を回転させる必要があり、着脱操作を迅速に行うことができない。
【０００３】
これに対して、スライド係合方式の機構では、付属品を差込溝に沿って所定量だけスライドさせるという簡単な操作により取り付けることができるので、操作性に優れている。このようなスライド係合方式の機構は例えば特許文献１に開示されている。この文献に開示の機構では、ファインダ（付属品）およびカメラ本体の間の係合部分をばねによって押し付けることにより、取り付け状態でのがたつきを無くすと共に、ばねの押し付け抵抗によって取り付けたファンダを抜けにくくしている。
【特許文献１】実開昭５７−０２５３２４号公報
【発明の開示】
【発明が解決しようとする課題】
【０００４】
しかしながら、従来のスライド係合方式の取付機構では、取り付けられている付属品の抜けが、ばねによる押し付け抵抗によって防止されているのみである。したがって、この抵抗力より大きな力が作用すると外れてしまう。このため、付属品をカメラ本体に取り付けた状態において、誤って、付属品自身を持ち上げてしまうと、カメラ本体が外れる危険性がある。最も危険な場合は、付属品をカメラ本体に取り付けたまま、付属品のみを持ち上げたときに、一旦はカメラ本体も一緒に持ち上がり、宙に浮いた状態においてカメラ本体が脱落して床面などに衝突することである。かかる事態が発生すると、カメラ本体が損傷してしまう。
【０００５】
本発明の課題は、このような点に鑑みて、着脱時の操作性を損なうことなく、カメラ本体あるいは付属品の脱落を防止可能なカメラ用付属品の取付機構を提案することにある。
【課題を解決するための手段】
【０００６】
上記の課題を解決するために、本発明は、カメラ本体に付属品を着脱可能な状態で取り付けるために、これらカメラ本体および付属品の一方の側の差込溝に他方の側の差込部を差し込むように構成されているスライド係合方式のカメラ付属品の取付機構であって、
前記差込溝から前記差込部が抜け出ることを防止するための抜け防止部を有し、
当該抜け防止部は、係合面と、前記差込部の差込方向とは反対側から当該係合面に係合する係合位置および当該係合面から外れる退避位置に移動可能な係合部材と、この係合部材を前記係合位置に保持している弾性部材とを備えており、
前記カメラ本体および前記付属品の一方の側に前記係合面が配置され、他方の側に前記係合部材が配置されていることを特徴としている。
【０００７】
本発明のスライド係合方式の取付機構は、取り付けられている付属品が抜け出ることを防止するための抜け防止部を備えている。付属品が抜け出る方向（差込方向とは反対方向）に移動しようとすると、カメラ本体および付属品の一方の側に配置されている係合部材と、他方の側に配置されている係合面との係合によって、そのような移動が阻止される。よって、カメラ本体に取り付けられている付属品のみを持ち上げた場合においても、カメラ本体が脱落することがない。また、係合部材は弾性部材によって係合位置に保持されているので、弾性力に逆らって係合部材を移動させることにより、付属品の着脱操作も簡単に行うことができる。よって、着脱時の操作性も良好に維持できる。
【０００８】
ここで、着脱時の操作性を良好に維持するためには、前記弾性部材を、前記係合部材を前記係合位置および前記退避位置のそれぞれに保持可能な板ばねとし、当該板ばねの弾性変形により前記係合部材を移動できるようにすればよい。
【０００９】
例えば、前記付属品に、前記係合部材と、前記板ばねと、当該板ばねが係合可能な板ばね係合部とを配置し、前記係合部材を、一方の端部を中心として前方側の係合位置および後方側の退避位置の間を回転可能な状態で支持されていると共に、他方の端部に前方に突出している係合爪を備えた構成とし、前記板ばねを、前記係合部材に取り付けられていると共に、前方に突出している波状の先端部分を備えた構成とし、前記板ばね係合部を、前記板ばねの波状の先端部分が面外方向に弾性変形することにより乗り越えることのできる係合縁とすることができる。
【００１０】
この場合には、前記係合位置にある前記係合部材を後方の前記退避位置に向けて押すと、前記板ばねの先端部分が弾性変形して前記係合縁を乗り越えた後に弾性復帰して再び当該係合縁に係合して、前記係合部材が前記退避位置に保持される。また、前記退避位置にある前記係合部材をカメラ前方の係合位置に向けて押すと、前記板ばねの先端部分が弾性変形して前記係合縁を乗り越えた後に弾性復帰して再び当該係合縁に係合して、前記係合部材が前記係合位置に保持される。
【００１１】
したがって、付属品の着脱時に、係合部材を指などによって退避位置に保持しておく必要がない。よって、付属品着脱時の操作性を良好な状態に維持できる。
【００１２】
ここで、前記係合部材に、当該係合部材を前記退避位置に向けて回転させるための手動操作部を形成しておくことができる。
【００１３】
また、付属品差込方向としては、カメラ上下方向における上方から下方に向かう方向とすることができる。付属品を上側から差し込むようにすれば、差込溝に対する差込部の位置決めなどが容易になるなどの利点がある。
【００１４】
この場合、前記付属品を、付属品本体部分と、この付属品本体部分を支持している支持板とを有した構成とし、前記支持板に、前記係合部材、前記板ばね、および前記板ばね係合部を配置し、前記付属品を前記カメラ本体に取り付けた状態において、前記支持板によって、そのカメラ幅方向の一方の端部においてカメラ上下方向に延びる回転中心線を中心として、前記付属品本体部分を旋回可能な状態で支持する構成を採用できる。
【００１５】
付属品本体部分を左右に開く構成は次のような場合に有効である。例えば、カメラ本体の上面にストロボユニットなどの別の付属品取付部が形成されている場合には、カメラ本体の背面に形成されている付属品取付部に取り付けた付属品を上方に開くと、上面に取り付けられている付属品と干渉するおそれがある。左右に開くようにすれば、このような危険性を回避できる。
【００１６】
また、前記支持板は、前記付属品本体部分を、前記カメラ本体に対峙している対峙位置から所定の角度だけ旋回した退避位置に止まるように保持するための旋回拘束部を備えていることが望ましい。マグニファイヤなどの付属品を用いる場合には、マグニファイヤを外した状態でファインダを覗き、しかる後にマグニファイヤを通してファインダを覗く操作を行う場合がある。このような場合に、付属品が旋回自在な不安定状態にあると、カメラ本体に当たるなどの弊害が発生するので、所定の旋回位置に拘束しておくことが望ましい。
【００１７】
次に、本発明は、カメラ本体に形成されている付属品取付部に対してスライド係合方式により取り付け可能なカメラ用付属品であって、
前記付属品取付部からの抜けを防止するための抜け防止部を有し、
この抜け防止部は係合部材および弾性部材を備えており、
前記係合部材は、付属品差込方向とは反対側から前記付属品取付部に形成されている係合面に係合可能な係合位置および、当該係合面から外れる退避位置に移動可能であり、
前記弾性部材は、前記係合部材を前記係合位置に保持していることを特徴としている。
【００１８】
また、本発明においては、前記弾性部材は、前記係合部材を前記係合位置および前記退避位置のそれぞれに保持可能な板ばねであり、当該板ばねの弾性変形により前記係合部材の移動が可能であることを特徴としている。
【００１９】
さらに、前記板ばねが係合可能な板ばね係合部を有しており、前記カメラ本体に取り付けられた状態において、前記係合部材は、一方の端部がカメラ前方側の係合位置およびカメラ後側の退避位置の間を前後方向に回転可能な状態で支持されていると共に、他方の端部にカメラ前方に突出している係合爪を備えており、前記板ばねは、前記係合部材に取り付けられていると共に、カメラ前方に突出している波状の先端部分を備えており、前記板ばね係合部は、前記板ばねの波状の先端部分が面外方向に弾性変形することにより乗り越えることのできる係合端部を備えており、前記係合位置にある前記係合部材を前記退避位置に向けて押すと、前記板ばねの先端部分が弾性変形して前記係合端部を乗り越えた後に弾性復帰して、前記係合部材が前記退避位置に保持され、前記退避位置にある前記係合部材を前記係合位置に向けて押すと、前記板ばねの先端部分が弾性変形して前記係合端面を乗り越えた後に弾性復帰して、前記係合部材が前記係合位置に保持されることを特徴している。
【００２０】
さらには、前記係合部材には、当該係合部材を前記退避位置に向けて回転させるための手動操作部が形成されていることを特徴としている。
【００２１】
また、前記付属品差し込み方向は、カメラ上下方向における上方から下方に向かう方向とされていることを特徴としている。
【００２２】
さらに、付属品本体部分と、この付属品本体部分を支持している支持板とを有しており、前記支持板は、前記係合部材、前記板ばね、および前記板ばね係合部を備えており、前記付属品を前記カメラ本体に取り付けた状態において、前記支持板は、そのカメラ幅方向の一方の端部においてカメラ上下方向に延びる回転中心線を中心として、前記付属品本体部分を旋回可能な状態で支持していることを特徴としている。
【００２３】
さらにまた、前記支持板は、前記付属品本体部分を、前記カメラ本体に対峙している対峙位置から所定の角度だけ旋回した退避位置に止まるように保持するための旋回拘束部を備えていることを特徴としている。
【発明の効果】
【００２４】
本発明では、カメラ付属品をカメラ本体に対してスライド係合方式により取り付けるための取付機構に、取り付けられている付属品が抜け出ることを防止するための抜け防止部を配置してある。したがって、カメラ本体に取り付けられた付属品のみを誤って持ち上げた場合であっても、カメラ本体が脱落して床面などに衝突して破損するという弊害を確実に防止できる。また、抜け防止部の係合部材はその係合位置、好ましくは、その係合位置および退避位置に、弾性部材によって保持可能となっている。したがって、付属品の着脱操作時に係合部材を指などによってその退避位置に止めておく操作が不要である。よって、着脱時の操作性も良好に保持される。
【発明を実施するための最良の形態】
【００２５】
以下に、図面を参照して、本発明を適用したカメラ用付属品の取付機構を説明する。
【００２６】
（実施の形態１）
図１は本発明を適用した取付機構によってカメラ本体に取付可能なアングルファインダを示す側面図であり、図２はアングルファインダ側の取付部を示す正面図、断面図および背面図であり、図３はアングルファインダを取付可能なカメラ本体側の取付部を斜め後側から示す斜視図である。
【００２７】
まず、図１および図２を参照して、アングルファインダ側の取付部の構成を説明する。アングルファインダ１の側の取付部２は、Ｌ形の本体部分３の前端部に配置されている。本体部分３は一般的に用いられているアングルファインダと同様な構造であるので、その説明は省略する。
【００２８】
取付部２はプラスチック射出成形品からなる取付板４を備えており、この取付板４は全体として門形形状をしており、下方に開いたほぼ矩形の開口部５が形成されている。この開口部５の左右の内側端面６、７における取付板前面４ａ側の縁には、上下方向に延びる差込レール８、９（差込部）が一体形成されている。これらの差込レール８、９は一定の幅および厚さで上下方向に延びており、それらの下端部は先細りのテーパ状とされている。これらの差込レール８、９が後述のカメラ本体側の取付部に形成されている差込溝に上側から差し込み可能となっている。
【００２９】
取付板４の背面４ｂには開口部５を覆い隠す大きさのほぼ矩形の金属製の支持板１１が積層され、固定用の４本のビス１０によって固定されている。この支持板１１には円形開口１２が形成されており、この円形開口１２と同軸状態で、当該支持板１１の背面にＬ形の本体部分３の前端３ａが固定されている。
【００３０】
また、取付板４の背面４ｂにおける上端部分には支軸１３が水平に配置されており、この支軸１３の両端部分は、当該背面４ｂに形成した左右の軸受溝４ｃ、４ｄに装着固定されている。支軸１３によって金属製のロック板１４（係合部材）が支持されている。すなわち、ロック板１４は全体として矩形形状をしており、その上端部分に形成した軸受孔１５に支軸１３が回転自在の状態で貫通しており、ロック板１４は当該支軸１３を中心として前後方向に回転可能である。ロック板１４の下端両側部分には、前方に向けて直角に折り曲げられた左右一対の係合爪１６ａ、１６ｂが形成されている。これらの係合爪１６ａ、１６ｂは、支持板１１に形成されている左右の矩形の開口部１７ａ、１７ｂを通って前方に突出している。
【００３１】
ここで、ロック板１４の前面１４ａにおいて、左右の係合爪１６ａ、１６ｂの間の部位には、水平にクリックばね１８が固定されている。クリックばね１８は前方に突出している波形の先端部分１８ａを備えている。このクリックばね１８の先端部分１８ａは、支持板１１の左右の開口部１７ａ、１７ｂの間において一段高い位置に形成されている開口部１７ｃを通って前方に突出している。この開口部１７ｃの下縁１７ｄ（係合縁）は、クリックばね１８の先端部分１８ａよりも僅かに高い位置にあり、この下縁１７ｄを乗り越えた状態で先端部分１８ａが前方に突出しており、当該先端部分１８ａがその弾性復帰力によって下縁１７ａに押し付けられた状態となっている。したがって、クリックばね１８によって、ロック板１４は図１、２に示す位置（係合位置１４Ａ）に保持されている。
【００３２】
本例のロック板１４においては、軸受孔１５よりも上方に突出している突出板部分２０（手動操作部）が形成されている。この突出板部分２０を指などによって前方に所定の力で押すと、クリックばね１８の先端部分１８ａが上方に弾性変位しながら支持板１１の開口部下縁１７ｄを乗り越えて後方側に移動し、当該下縁１７ｄから外れる。クリックばね１８の先端部分１８ａは下縁１７ｄを乗り越えると、弾性復帰して、下縁１７ｄよりも僅かに下側の位置に戻る。この結果、クリックばね１８の先端部分１８ａが下縁１７ｄの背面側の部分に当接した状態になり、ロック板１４が後側に回転した位置（退避位置１４Ｂ）に保持される。
【００３３】
次に、図３を参照して、カメラ本体側の取付部を説明する。カメラ本体３０は、その筐体３１の上端部分にファインダ３２が組み込まれており、ファインダ３２が組み込まれている筐体部分の後端面３３に、アングルファインダ１を取り付け可能な取付部３４が配置されている。この取付部３４の中心にはファインダ接眼窓３５が形成されている。
【００３４】
取付部３４は、ファインダ接眼窓３５を取り囲む状態に取り付けられている一定厚さの取付板３６を備えている。この取付板３６の左右の側端面３７、３８は、その表面側の縁が一定幅で左右に突出しており、これによって、上下方向に延びる差込溝３９、４０が形成されている。これらの差込溝３９、４０の上端は開口しており、下端は封鎖されている。
【００３５】
これら左右一対の差込溝３９、４０の溝幅（前後方向の間隔）は、アングルファインダ１の側の取付部２の差込レール８、９を上方から差し込み可能な寸法に設定されている。
【００３６】
ここで、取付板３６における接眼窓３５の上方の部位には、その背面側から所定深さの横長の凹部４１が形成されている。この凹部４１の左右の上端面部分は下向きの水平な係合面４２、４３となっている。これらの係合面４２、４３には、アングルファインダ１の側のロック板１４の左右の係合爪１６ａ、１６ｂが下側から係合可能である。
【００３７】
なお、カメラ本体３０の側の取付部３４の側方位置には、位置決め突起４４が突出している。この位置決め突起４４のスライド溝２１が、アングルファインダ１の側の取付部２における取付板４の前面４ｂに形成されている（図２（ａ）参照）。また、本例のカメラ本体３０におけるファインダ３２が組み込まれている筐体部分の上端面にはストロボユニット（図示せず）を取り付けるための付属品取付部４５が配置されている。この付属品取付部４５は前後方向に水平に延びる差込溝４６を備えており、後側からストロボユニット（図示せず）を差込固定可能となっている。
【００３８】
次に、図４および図５も参照して、アングルファイダ１をカメラ本体３０に対して着脱する操作を説明する。
【００３９】
まず、アングルファインダ１をカメラ本体３０に取り付ける場合には、図１、図４の矢印Ａ１で示すように、アングルファインダ１の側の取付部２におけるロック板１４の手動操作部２０を前方に押して、当該ロック板１４をその係合位置１４Ａから退避位置１４Ｂに後退させる。前述のように、ロック板１４を後側に回転させると、そこに取り付けられているクリックばねの先端部分１８ａが支持板開口部１７ｃの下縁１７ｄを乗り越えて後ろ側に移動し、当該下縁１７ｄの背面側の部位に当たった状態になる。この結果、ロック板１４がその退避位置１４Ｂに保持される。ロック板１４が退避位置１４Ｂに退避すると、その左右の係合爪１６ａ、１６ｂも後退する。
【００４０】
次に、図４の矢印Ａ２で示すように、カメラ本体３０の上方から、その取付部３４の左右の差込溝３９、４０に対して、アングルファインダ１側の差込レール８、９を位置決めし、これらの差込レール８、９を差込溝３９、４０に対してその下端に突き当たるまで差し込む。
【００４１】
アングルファインダ１の差込レール８、９を完全に差込溝３９、４０に差し込んだ後は、図５において矢印Ａ３で示すように、ロック板１４の背面部分を指などによって、前方に押し込む。この結果、ロック板１４のクリックばね１８の先端部分１８ａが弾性変形して支持板開口部１７ｃの下縁１７ｄを乗り越えて、その前側に移動し、しかる後に弾性復帰する。この結果、ロック板１４が係合位置１４Ａに保持され、その下端部の左右の係合爪１６ａ、１６ｂが下側から、カメラ本体３０の側の取付部３４における左右の係合面４２、４３に係合した状態が形成される。
【００４２】
このようにして、スライド係合方式によりアングルファインダ１がカメラ本体３０に取り付けられる。また、ロック板１４および係合面４２、４３からなる抜け防止部によって、アングルファインダ１がカメラ本体３０の側から抜け出ることが防止される。したがって、誤って、アングルファインダ１のみを持ち上げたとしても、カメラ本体３０がアングルファインダ１から脱落して床面などに衝突して破損することがない。
【００４３】
次に、アングルファインダ１の取り外しは次のように行われる。まず、ロック板１４を後方に回転させて、その係合爪１６ａ、１６ｂをカメラ本体側の取付部３４における係合面４２、４３から外す。ロック板１４を後方に回転させると、そこに取り付けられているクリックばね１８の先端部分１８ａが支持板開口部１７ｃの下縁１７ｄを乗り越えて、その後側の部位に当たり、ロック板１４が退避位置１４Ｂに保持される。この後は、アングルファインダ１を上方に引上げると、その差込レール８、９がカメラ本体側の差込溝３９、４０から上方に引き抜かれ、アングルファインダ１がカメラ本体３０から取り外される。
【００４４】
このように、ロック板１４はクリックばね１８によって、その係合位置１４Ａおよび退避位置１４Ｂに保持されるようになっているので、着脱操作時に、ロック板１４を指などで押えて着脱操作の邪魔にならないようにする必要がない。よって、従来のスライド係合方式の取付機構の場合と同様に着脱時の操作が簡単である。
【００４５】
（実施の形態２）
図６は、本発明を適用したスライド係合方式の取付機構によってカメラ本体に取り付け可能なマグニファイヤの一例を示す正面図および断面図である。図７は、その正面側および背面側から見た場合の斜視図であり、図８は、それを開いた状態における正面側および背面側から見た場合の斜視図である。本例のマグニファイヤ５０は、上記の例におけるアンルグファインダ１の取付部２と同一構造の取付部を備えており、上記の例におけるカメラ本体３０の取付部３４に取り付け可能となっている。したがって、上記の例の各部分に対応する部位には同一の符号を付し、それらの説明は省略する。
【００４６】
本例のマグニファイヤ５０は本体部分５１と取付部２を有しており、本体部分５１は取付部２に対して、開閉可能な状態で取り付けられている。すなわち、取付部２の支持板１１における一方の側部は上下一対の軸穴部６１、６２が同軸状態に形成されている。これらの軸穴部６１、６２にはフレーム軸６３が貫通した状態で固定されている。また、これら軸穴部６１、６２の間には、Ｌ形に折り曲げられた折り曲げ部６３が形成されており、このＬ形の折り曲げ部６３にフレーム軸６４が内接している。
【００４７】
一方、マグニファイヤ５０の本体部分５１は、接眼フレーム７０に取り付けられている。接眼フレーム７０は、マグニファイヤ５０の本体部分５１が取り付けられている取付部分７１と、この取付部分７１の一方の側端から段状に折り曲げられた後に、上下に三又に分離して側方に延びている側板部分７２、７３、７４とを備えている。上下の側板部分７２、７４の側端には、フレーム軸６４の上下の端部が回転可能な状態で貫通している上下一対の軸穴部７５、７６が形成されている。したがって、接眼フレーム７０は、フレーム軸６４を中心として回転可能となっている。
【００４８】
また、中央の側板部分７３は側方に延びる平板状の部分である。この側板部分７３は、取付部２の側の支持板１１の側部中央に形成されている折り曲げ部６３における先端面６３ａ、これに直交する当接面６３ｂ、および当該当接面６３ｂに直交する当接面６３ｃにそれぞれ当接可能となっている。
【００４９】
すなわち、図７に示すように、接眼フレーム７０を閉じた状態（取付部２に重ねた状態）においては、側板部分７３が、折り曲げ部６３の先端面６３ａに当接した状態になる。また、図８に示すように、接眼フレーム７０を９０度開いた退避状態においては、側板部分７３が折り曲げ部６３の当接面６３ｂに面接触状態になり、当該側板部分７３のばね力によって、９０度開いた位置に所定の拘束力で保持される。同様に、接眼フレーム７０を１８０度開いた状態においては、側板部分７３が当接面６３ｃに面接触状態となり、当該側板部分７３のばね力によってその位置に保持される。このように、側板部分７３および折り曲げ部６３によって、接眼フレーム７０の回転拘束部が構成されている。
【００５０】
なお、マグニファイヤ５０の本体部分５１は、図６に示すように、固定側鏡筒５２と、この固定側鏡筒５２に対して光軸５０ａの方向に移動可能な状態で取り付けられている可動側鏡筒５３と、可動側鏡筒５３の先端に取り付けられたゴム製のカップ状のフード５４とを備えている。固定側鏡筒５２の端には、接眼フレーム７０の取付部分７１を挟み、接眼カラー５５が止めねじ５６によって固定されている。固定側鏡筒５２の内部には固定側のレンズ群５７が保持されており、可動側鏡筒５３の内部には可動側のレンズ群５８が保持されている。可動側鏡筒５３を回すと、固定側鏡筒５２との間に構成されているカム機構によって当該可動側鏡筒５３が光軸５０ａの方向に移動する。可動側鏡筒５３は固定用摘み５９をねじ込むことにより固定されるようになっている。
【００５１】
本例のマグニファイヤ５０も、先に述べたアングルファインダ１の場合と同様に、図３に示すカメラ本体３０の取付部３４に対して上側から差込固定することができ、上方に引上げることにより取り外すことができる。取り付けた状態においては、ロック板１４と係合面４２、４３との係合によって抜けが防止される。
【００５２】
また、取り付けた状態においては、フレーム軸６４を中心としてマグニファイヤ５０を側方に開閉できる。マグニファイヤ５０を使用する場合には図７に示すように閉じた状態とされ、使用しない場合には、図８に示すように開いて、直接、カメラ本体３０の接眼窓３５を覗くことができるようにする。この場合、前述したように、マグニファイヤ本体部分５１が取り付けられている接眼フレーム７０の側板部分７３が、カメラ本体側に取り付けられている取付部２の折り曲げ部６３の当接面６３ｂに面接触状態になり、当該側板部分７３のばね力によって、９０度開いた位置に保持される。よって、マグニファイヤ本体部分５１が左右に振れて、カメラ本体３０の筐体などに当たってしまうことを防止できる。
【００５３】
また、本例のカメラ本体３０では、図３に示すように、その上端にストロボユニットを取り付けるための付属品取付部４５が配置されている。マグニファイヤ５０を従来のように上下に開閉できるようにしておくと、ストロボユニットが取り付けられている場合には、上方に開いたマグニファイヤ５０がストロボユニットに干渉するおそれがある。本例では、カメラ本体３０に取り付けた状態において、フレーム軸６４を中心として左右にマグニファイヤ５０を開閉できるようにしてあるので、このような干渉のおそれがない。
【図面の簡単な説明】
【００５４】
【図１】本発明を適用した取付機構によってカメラ本体に取付可能なアングルファインダを示す側面図である。
【図２】図１のアングルファインダの側の取付部を示す正面図、断面図および背面図である。
【図３】図１のアングルファインダを取付可能なカメラ本体側の取付部を斜め後側から示す斜視図である。
【図４】図１のアングルファインダを図３のカメラ本体に取り付ける操作を示す説明図である。
【図５】図１のアングルファインダが図３のカメラ本体に取り付けられた状態を示す説明図である。
【図６】本発明を適用したスライド係合方式の取付機構によってカメラ本体に取り付け可能なマグニファイヤの一例を示す正面図および断面図である。
【図７】図６のマグニファイヤの正面側および背面側から見た場合の斜視図である。
【図８】図６のマグニファイヤを開いた状態における正面側および背面側から見た場合の斜視図である。
【符号の説明】
【００５５】
１  アングルファインダ、２  取付部、３  本体部分、４  取付板、８，９  差込レール、１１  支持板、１３  支軸、１４  ロック板、１４Ａ  係合位置、１４Ｂ  退避位置、１６ａ，１６ｂ  係合爪、１７ｄ  下縁、１８  クリックばね、１８ａ  先端部分、２０  突出板部分、３０  カメラ本体、３４  カメラ本体側の取付部、３９，４０  差込溝、４２，４３  係合面、４５  付属品取付部、５０  マグニファイヤ、５１  本体部分、６１，６２  軸穴部、６３  折り曲げ部、６３ａ  先端面、６３ｂ，６３ｃ  当接面、６４  フレーム軸、７０  接眼フレーム、７３  側板部分、７５，７６  軸穴部
【図１】
2006235248.tif 000003
【図２】
2006235248.tif 000004
【図３】
2006235248.tif 000005
【図４】
2006235248.tif 000006
【図５】
2006235248.tif 000007
【図６】
2006235248.tif 000008
【図７】
2006235248.tif 000009
【図８】
2006235248.tif 000010